(57)【特許請求の範囲】
【請求項１】
本体と、この本体内に設けられた記録手段と、この記録手段によって記録された券の発券口と、前記本体の表面に設けられるとともに、前記本体の表面手前側に設けられた入力部と、この入力部の遠方側に設けられるとともに、前記本体の内側に向けて嵌入した凹状の保持部と、入力操作のために利用する表示部とを備え、前記保持部は、前記表示部の近傍に設けるとともに、下方が手前側に傾斜した携帯型発券機。
【請求項２】
入力部を開閉自在に覆うカバーを設けるとともに、このカバーの外部に対応する本体表面部に保持部を形成した請求項１記載の携帯型発券機。
【請求項３】
保持部は、本体側面に保持部と連結した開口部を有する請求項１に記載の携帯型発券機。
【請求項４】
保持部は、固定壁と、この固定壁に対して押圧方向に付勢された可動壁により構成された請求項１に記載の携帯型発券機。
【請求項５】
発券口の側方に保持部を設けた請求項１に記載の携帯型発券機。
【発明の詳細な説明】
【０００１】
【発明の属する技術分野】
本発明は、列車などの車内において乗車券や料金券などの発行や乗車区間の変更に伴う運賃清算を行う際に使用する携帯型発券機に関するものである。
【０００２】
【従来の技術】
従来この種の機器は、図５に示すように本体１と、この本体１内に設けられた記録手段と、この記録手段によって記録された券の発券口７と、前記本体１の表面に設けられた入力部９とを備えた構成であった。
【０００３】
上記機器において発券を行う時には、この機器の本体１表面に配設されたクリップ状の保持部１２に、乗客が事前に購入して所持している原券を装着し、それを目視しながら入力部９で原券情報データを入力していた。
【０００４】
【発明が解決しようとする課題】
しかしながら、従来のこの種の機器の場合は券を保持するクリップ状の保持部１２が本体１から突出した状態で取り付けられているため、手指や衣服が引っかかって、クリップ状の保持部１２を損傷したり、誤って機器を落下させてしまうことがあった。
【０００５】
本発明はこのような問題点を解決するためのもので、使用中に誤ってクリップ状の保持部や本体が損傷することを防止し、使いやすい携帯型発券機を提供することを目的としたものである。
【０００６】
【課題を解決するための手段】
この目的を達成するため、本発明の携帯型発券機における保持部は、入力部の遠方側かつ、表示部の近傍に設けるとともに、本体の内側に向けてその下方が手前側に傾斜するように嵌入した凹状としたものである。
【０００７】
これにより原券を仮に挟んで見やすくするための保持部を設けたとしても、この保持部は凹状であるので、携帯型発券機を持ち運び、操作する場合に手指や衣服が保持部に引っかかることがなく、保持部の破損や落下による本体破損などの事故を防止することができる。
【０００８】
【発明の実施の形態】
本発明の請求項１に記載の発明は、本体と、この本体内に設けられた記録手段と、この記録手段によって記録された券の発券口と、前記本体の表面に設けられるとともに、前記本体の表面手前側に設けられた入力部と、この入力部の遠方側に設けられるとともに、前記本体の表面に前記本体の内側に向けて嵌入した凹状の保持部と、入力操作のために利用する表示部とを備え、前記保持部は、前記表示部の近傍に設けるとともに、下方が手前側に傾斜したものであり、保持部が本体から突出しないため本体外形が平滑な形態となり、使用中に手指や衣服が保持部に引っかかることがなくなり、それによって引き起こされる保持部の破損や落下による本体破損を防止できる。
【０００９】
また、本発明の携帯型発券機を手に持って操作するとき、操作する乗務員の視線にはほぼ直角に、また入力操作のため頻繁に利用する表示部（液晶ディスプレイ）の近傍の、眼からほぼ等距離の場所に原券を保持することが可能となり、表示部と原券のどちらに対しても視認性の良い携帯型発券機を実現できる。
【００１０】
本発明の請求項２に記載の発明は、入力部を開閉自在に覆うカバーを設けるとともに、このカバーの外部に対応する本体表面部に保持部を形成した請求項１記載の携帯型発券機としたものであり、保持部に原券などを挟んだ状態でもカバーを自由に開閉することができ、発券操作後、携帯型発券機が動作して発券が完了するまでの間に、入力部を保護し、誤操作を防止するカバーを閉じて、カバー背面を利用した釣銭硬貨の処理などを行うことが可能になる。
【００１１】
本発明の請求項４に記載の発明は、保持部が本体側面に保持部と連結した開口部を有する請求項１から請求項３のいずれか一つに記載の携帯型発券機としたものであり、定期券や８５ｍｍ券（定期券とほぼ同一外形の紙製乗車券）など保持部の大きさよりも幅広の券種を原券として取り扱う際にも、保持部よりはみ出す部分を開口部から外に出して、原券の幅に関係なく保持することが可能になる。
【００１２】
本発明の請求項５に記載の発明は、保持部を固定壁と、この固定壁に対して押圧方向に付勢された可動壁により構成された請求項１から請求項４のいずれか一つに記載の携帯型発券機としたものであり、固定壁は本体外壁と一体化し、可動壁と可動壁を固定壁に押圧する弾性部材を、合成樹脂製の可動壁に一体に成形し、スナップフィット構造にすることにより、本体に対して可動壁の部品を１個追加するだけで保持部を実現することができ、保持力が安定して使い勝手が良く、破損し難く、かつ安価な携帯型発券機が実現できる。
【００１３】
本発明の請求項６に記載の発明は、発券口の側方に保持部を設けた請求項１から請求項５のいずれか一つに記載の携帯型発券機としたものであり、保持された原券が発券口を塞いで発券の障害になることがない。
【００１４】
以下、本発明の実施の形態について、図１から図４を用いて説明する。図１に本発明の実施の形態における携帯型発券機の外観を示す。
【００１５】
図１にて携帯型発券機の本体１の上面には、この本体１に対してヒンジ軸２を中心として開閉するカバー３が配設されている。
【００１６】
本体１の内部には券紙４に対する第１の記録手段（図示せず）が内蔵されており、券紙収納部５に積層収納された磁気化券用の券紙４に対し、自動出改札システムに対応する磁気記録と印刷記録を施すことができる。記録された券紙４は第１の発券口６から送出される。
【００１７】
本体１の内部にはロール紙に対して印刷記録を施すことのできる第２の記録手段（図示せず）が内蔵されており、必要に応じて大型の切符を印刷することができる。このロール紙大型券８は第２の発券口７から送出される。
【００１８】
本体１の上面には入力部９と液晶表示パネル１０が配設されている。また、カバー３の内表面には地図形式の入力スイッチパネル１１が配設されている。
【００１９】
本体１上面の第１の発券口６側方には、本体１の内側に向けて嵌入した凹状の保持部１２が配設されており、乗客が事前に購入して所持していた原券１３を挟むことができる。この保持部１２は本体外形の包絡線の内側にあるため、操作中にて指や衣服が引っかかる恐れがない。また、カバー３を閉じたときにも覆われることのない本体１の外周にあるため、原券１３を挟んだままカバー３の開閉を必要に応じて自由に行なうことができる。
【００２０】
図２はこの保持部１２に原券１３を挟んだ状態を示す外観図である。原券１３は８５ｍｍ券サイズであり、保持部１２よりもはるかに大きいが、本体側面に開口部１４があるため支障なく挟むことができる。
【００２１】
保持部１２は下部が手前側に傾斜しており、かつ第１の発券口６の側方に配設されているため、図２に示す通り、挟まれた原券１３は券紙４の排出方向と略平行に保持される。これにより挟まれた原券１３が第１の発券口６および第２の発券口７を塞ぐことがなく、券紙４やロール型大型券８の排出の妨げにならない。
【００２２】
図３は保持部１２の部分断面図である。本体１の外壁に凹部を形成し、傾斜した固定壁１５を設けてある。この固定壁１５に対向して可動壁１６が配設されている。この可動壁１６には可動壁１６を本体１に係止する爪１７と可動壁１６を固定壁１５に向かって加圧する弾性要素１８が一体に形成されている。
【００２３】
図４は原券１３を保持部１２に挟んだ状態の部分断面図である。原券１３が固定壁１５に沿って斜めに保持されていることがわかる。
【００２４】
【発明の効果】
以上のように本発明の携帯型発券機は、入力部の遠方側かつ、表示部の近傍に保持部を設け、この保持部は、前記本体の表面に、その下方が手前側に傾斜するように前記本体の内側に向けて嵌入した凹状としたため、携帯型発券機を持ち運び、操作する場合に手指や衣服が保持部に引っかかることがなく、保持部の破損や落下による本体破損などの事故を防止することができる。
また、携帯型発券機を手に持って操作するとき、操作する乗務員の視線にほぼ直角に原券を保持することができるとともに、表示部の近傍の眼からほぼ等距離の場所に原券を保持することが可能となり、表示部と原券のどちらに対しても視認性の良い携帯型発券機を実現できる。
【図面の簡単な説明】
【図１】本発明の一実施の形態における携帯型発券機の外観斜視図
【図２】同、保持部に原券を挟んだ場合の携帯型発券機の外観斜視図
【図３】同、携帯型発券機の保持部の部分断面図
【図４】同、原券を挟んだ場合の携帯型発券機の保持部の部分断面図
【図５】従来の携帯型発券機の外観斜視図
【符号の説明】
１  本体
６  発券口
７  発券口
９  入力部
１２  保持部
【図１】
0003608355.tif 000002
【図２】
0003608355.tif 000003
【図３】
0003608355.tif 000004
【図４】
0003608355.tif 000005
【図５】
0003608355.tif 000006